(57)【特許請求の範囲】
【請求項１】
ズーム可能なレンズ鏡枠を備えたカメラにおいて、
第１コネクタ、第２コネクタ及び第３のコネクタがそれぞれ略直交する方向に同一の表面に実装され、上記レンズ鏡筒枠の側方であって当該カメラのグリップ側に上記レンズ鏡枠の光軸に対して垂直に配置され、上記第１コネクタ、上記第２コネクタ及び上記第３のコネクタが実装された上記表面の裏面に上記カメラ全体の制御を行うメイン演算制御手段を実装したメインプリント基板と、
上記第１コネクタを介して上記メインプリント基板に接続され、当該カメラの上方に延出した第１のサブプリント基板と、
上記第２コネクタを介して上記メインプリント基板に接続され、上記レンズ鏡筒への方向に延出した第２のサブプリント基板と、
上記第３コネクタを介して接続され、当該カメラの下方に延出した第３のサブプリント基板と、
を具備し、
上記第１乃至上記第３のサブプリント基板は、それぞれ略９０度ずつ異なる方向に延出されている、
ことを特徴とするズーム可能なレンズ鏡枠を備えたカメラ。
【発明の詳細な説明】
【０００１】
【発明の属する技術分野】
本発明は、メインプリント基板と当該メインプリント基板にコネクタを介して接続されるサブプリント基板とを有する、ズーム可能なレンズ鏡枠を備えたカメラに関するものである。
【０００２】
【従来の技術】
従来、例えば、特開平１１−２１２１６３号公報等では、カメラ用の硬質プリント回路（RPC；Rigid  Print  Circuit）と、鏡枠内電気部品に接続されたフレキシブルプリント回路（FPC；Flexible  Print  Circuit）と、測距手段等の電気部品に接続されたＦＰＣとを、中継ＦＰＣに設け、ここに実装されたＦＰＣコネクタに、それぞれ平行方向に挿入接続する技術が開示されている。尚、同技術では、メイン基板は、カメラの上面部分に配置されている。
【０００３】
ところで、近年のカメラのズーム比の向上により鏡枠は大型化しているが、そのようなカメラは、特に鏡枠の全長が伸びていくため、グリップ前面付近のスペースが空く傾向にあり、当該領域はメイン基板の設置に好適である。
【０００４】
一方、組立やリペアを考えた場合、各ユニットの電気信号を配線した基板は、上記各ユニットを取り外す際に上記メイン基板と容易に分離可能であり、組み付け時は確実にコンタクトすることが望ましい。従って、メイン基板と上記各ユニットの基板を、ＦＰＣコネクタ等で接続することが好適である。
【０００５】
【発明が解決しようとする課題】
しかしながら、カメラに用いられる電気回路は、当該カメラの各種機能の複雑化に伴って配線が増加していく傾向にある事から、前述した従来技術のように平行に複数のコネクタを配置することが困難になっている。
【０００６】
また、カメラは、通常、その上面に表示・操作系が集中して配置される傾向にあり、カメラの中央付近には、撮影レンズの保持・駆動等を行うレンズ鏡枠が配置され、当該位置にはシャッタ駆動機構やフォーカスレンズ駆動機構、及びその状態検知等のセンサ類が含まれることが多くなっている。
【０００７】
さらに、カメラの下面には、例えばフィルム駆動やズーム駆動、駆動切換機構等が配置されることが多くなっている。
【０００８】
このため、これらの事情を考えて、各基板のスペース効率が良く、組立リペア性が良い構成でプリント基板の構成を考えていかないと、カメラの大型化やコストアップをもたらすことになってしまう。
【０００９】
本発明は、上記問題に鑑みてなされたもので、その目的とするところは、プリント基板の構成を効率よく配置、接続することによって、小型でコストが安いズーム可能なレンズ鏡枠を備えたカメラを提供することにある。
【００１０】
【課題を解決するための手段】
上記目的を達成するために、ズーム可能なレンズ鏡枠を備えたカメラにおいて、第１コネクタ、第２コネクタ及び第３のコネクタがそれぞれ略直交する方向に同一の表面に実装され、上記レンズ鏡筒枠の側方であって当該カメラのグリップ側に上記レンズ鏡枠の光軸に対して垂直に配置され、上記第１コネクタ、上記第２コネクタ及び上記第３のコネクタが実装された上記表面の裏面に上記カメラ全体の制御を行うメイン演算制御手段を実装したメインプリント基板と、上記第１コネクタを介して上記メインプリント基板に接続され、当該カメラの上方に延出した第１のサブプリント基板と、上記第２コネクタを介して上記メインプリント基板に接続され、上記レンズ鏡筒への方向に延出した第２のサブプリント基板と、上記第３コネクタを介して接続され、当該カメラの下方に延出した第３のサブプリント基板とを具備し、上記第１乃至上記第３のサブプリント基板は、それぞれ略９０度ずつ異なる方向に延出されていることを特徴とするズーム可能なレンズ鏡枠を備えたカメラが提供される。
【００２１】
【発明の実施の形態】
以下、図面を参照して、本発明の実施の形態について説明する。
【００２２】
先ず、図１は本発明の一実施の形態に係るプリント基板を備えたカメラの外観構成図である。より詳細には、図１（ａ）は当該カメラの前面及び上面を示しており、図１（ｂ）は当該カメラの裏面及び下面を示している。
【００２３】
図１（ａ）において、符号１はカメラの外装部材である。
【００２４】
この外装部材１は、実施の形態に係るカメラの内部機構を被覆して保護し、更にはユーザの操作性、携行性の向上に寄与する。
【００２５】
カメラの前面の略中心部には、レンズ鏡枠２が配置されている。このレンズ鏡枠２には、撮影レンズ６が保持されている。
【００２６】
また、上記外装部材１の前面には、開閉自在に保持されたレンズバリア３が配置されている。当該レンズバリア３を閉じると上記レンズ鏡枠２が繰り出され、カメラは動作状態となる。これと同時に、必要なときに人工光源として機能するストロボ部１７もポップアップする。一方、当該レンズバリア３を閉じると、レンズ鏡枠２は繰り込まれ、カメラは省電力状態に移行する。
【００２７】
さらに、カメラの前面には、測光センサ１８，セルフＬＥＤ１９、ファインダ窓２０、測距センサ２１も配置されている。上記測光センサ１８は、被写界の光量を検出するものである。上記セルフＬＥＤ１９は、セルフタイマ動作時に点灯・点滅することで計時や動作告知をするものである。
【００２８】
上記ファインダ窓２０は、撮影レンズ６のズーミング動作に連動して視野をズーミングして、当該ズーミングに対応した撮影範囲を撮影者に示す。上記測距センサ２１は、公知の外光式パッシブ方式を採用しており、測距結果をアナログ及びデジタル信号として出力する。
【００２９】
さらに、本カメラの上面の所定位置には、押下式のレリーズボタン１１が配置されている。当該レリーズボタン１１を押下すると所定の撮影動作が実行されることになる。尚、このレリーズボタン１１は、半押しで１ｓｔレリーズがオンされ、全押しで２ｎｄレリーズがオンされる２段構成となっている。
【００３０】
また、カメラの上面には、ズームアップボタン１２、ズームダウンボタン１３も配置されている。これらズームアップボタン１２、ズームダウンボタン１３の操作により、撮影レンズの変倍を指示することができる。
【００３１】
さらに、外部表示液晶部１６の側方には、撮影モード切り替えボタン１４、ストロボモード切り替えボタン１５も配置されている。
【００３２】
これら各種ボタン操作により選択されたモードや駒数を含む各種情報は、外部表示液晶部１６に適宜表示されるように構成されている。
【００３３】
また、図１（ｂ）に示されるように、この実施の形態に係るカメラの後面には、後蓋４が設けられている。フィルムの装填や取出しの際には、この後蓋４を開閉することになる。さらに、カメラの後面には、電池蓋５も設けられている。電池の装填や交換の際には、この電池蓋５を開閉することになる。
【００３４】
この他、符号２３はファインダのアイピース、符号２２はセルフタイマのためのリモコン受信部、２６は強制リワインドＳＷ、２７は三脚用の穴部である。
【００３５】
上記アイピース２３の配設位置の近傍には、充電中やストロボ発光を予告するためのストロボＬＥＤ２４や測距完了等の旨を告知するためのＡＦＬＥＤ２５等からなる接眼部ＬＥＤが配置されている。
【００３６】
次に、図２は本発明の実施の形態に係るプリント基板を備えたカメラの機能ブロック並びに各種プリント基板の構成を示す図である。
【００３７】
この図２において、符号３１はファインダユニット本体（以下、Ｆ本体と称する）を示している。このＦ本体３１には、ファインダ窓２０、測距センサ２１、セルフ窓３２、測光窓３４等が配置されている。
【００３８】
そして、このＦ本体３１には、Ａフレキ（ＰＣ３０１）とＦフレキ（ＰＣ２０１）とが一体的に組み付けられる。
【００３９】
上記Ａフレキ（ＰＣ３０１）には、上記Ｆ本体３１に設けられた測距センサ２１の電源を安定化する部品、及び当該測距センサ２１を中心としたカメラの温度を検出するサーミスタ等が実装されている。
【００４０】
上記Ｆフレキ（ＰＣ２０１）には、上記測光センサ１８、セルフＬＥＤ１９、外部表示液晶部１６等の表示部材が実装されている。また、Ｆフレキ（ＰＣ２０１）には、ズーム操作部材たるズームアップボタン１２及びズームダウンボタン１３の受けのパターン、撮影モード切り替えボタン１４及びストロボモード切り替えボタン１５の受けのパターンが形成されている。
【００４１】
さらに、上記Ｆフレキ（ＰＣ２０１）には、上記表示液晶部１６の駆動や、時計機能やモードスイッチの検出を行う機能を合わせ持った表示ＣＰＵ（Ｕ２０１）が、圧接・接着方式のフリップチップ実装方式の下、ベアチップ実装されている。上記Ｆフレキ（ＰＣ２０１）は、上記表示液晶部１６や表示ＣＰＵ（Ｕ２０１）のパターン引き回しのために、両面配線で構成されている。
【００４２】
また、上記Ｆフレキ（ＰＣ２０１）には、上記セルフＬＥＤ１９を含むチップ部品がリフローによって実装される。露出パターンの表面処理は、スイッチの確実な検出のため金メッキ処理がなされている。
【００４３】
さらに、上記Ｆフレキ（ＰＣ２０１）は、メイン基板（ＰＣ１０１）上に実装されたＦＰＣコネクタ（Ｊ１０１）に挿入接続可能である。また、同軸の放射状パターン圧接接続部（以下、ヒマワリと称する）によって、上記Ａフレキ（ＰＣ３０１）、及びＴ基板（ＰＣ４０１）と電気的に接続可能である。
【００４４】
また、ファインダの接眼部付近に配置され、スーパーインポーズ表示を行える透過型液晶（例えばポリマネット液晶）が、接続用の小型フレキ基板を介してＦフレキ（ＰＣ２０１）に接続されている。
【００４５】
符号３６はレンズ鏡枠ユニットである。このレンズ鏡枠ユニット３６は、レンズ鏡枠２を含み、また内部にはシャッタ用ソレノイドプランジャ（Ｓプランジャ）により駆動されるシャッタと、フォーカスレンズを駆動するフォーカスレンズドライブモータ（ＬＤモータ）が設けられている。
【００４６】
また、このレンズ鏡枠ユニット３６には、上記シャッタ機構の動作をモニタするフォトインタラプタ（ＡＥＰＩ）、上記ＬＤモータの動作をモニタするフォトインタラプタ（ＬＤＰＩ）が設けられている。さらに、このレンズ鏡枠ユニット３６には、鏡枠のズーム状態がワイド、テレにいることを検出するテレスイッチ、ワイドスイッチも配置されており、これらの全ての電気配線は鏡枠フレキ、即ちＫフレキ（ＰＣ５０１）に構成されている。
【００４７】
上記Ｋフレキ（ＰＣ５０１）は、レンズ鏡枠ユニット３６から引き出され、メイン基板（ＰＣ１０１）上のＦＰＣコネクタ（Ｊ１０２）に挿入されて接続される。本ＦＰＣは、鏡枠可動部で屈曲されるため柔らかくする必要があり、また、コスト的にも有利なため、片面配線のＦＰＣで構成される。
【００４８】
さらに、上記Ｋフレキ（ＰＣ５０１）には、スイッチパターン等が設けられていないため、露出部の表面処理はハンダメッキで構成されている。
【００４９】
符号３７は、カメラのボディ本体（Ｂ本体）である。
【００５０】
このＢ本体３７には、グリップ側に電池３８の挿入部が設置され、またその横はパトローネ室３９となっており、更にパトローネのＤＸコード読み取りのためＤＸ読み取り用電気接点（ＤＸ接点）４０が設けられている。
【００５１】
さらに、このＢ本体３７において、グリップ側の反対側には、フィルム給送とズーム駆動を行うためのＷＺモータ４１が設けられる。
【００５２】
また、Ｂ本体３７の下部には、ＷＺモータ４１から、フィルム巻上げ、巻戻し、ズームアップ、ズームダウンの各駆動を切り換えるための切り換え／駆動力伝達機構４３が配置されている。Ｂ本体３７の下部にあるＷＺプランジャ４２は、上記切り換えを行うようになっている。
【００５３】
上記各種電気部品の配線は、Ｂ本体３７の下部に配置されたＷフレキ（ＰＣ５２１）上に形成されている。
【００５４】
但し、本実施形態では、ＷＺプランジャ４２がメイン基板（ＰＣ１０１）に近いため、上記Ｗフレキ（ＰＣ５２１）は経由しない。
【００５５】
また、上記Ｗフレキ（ＰＣ５２１）には、上記切り換えや駆動に必要な切り換え機構モニタ用のフォトリフレクタ（ＣＬＰＲ）、フィルム駆動検出用のフォトリフレクタ（ＷＰＲ）が実装されており、上記Ｂ本体３７に組み付けられる。
【００５６】
さらに、ＷＺモータ４１の回転検出用のフォトインタラプタ（ＭＴＰＩ）、デート写し込みＬＥＤの駆動信号ライン、ストロボポップアップ検知スイッチ（ＰＯＰスイッチ）、デート設定関係の各スイッチ、パノラマ撮影モードと通常モードを切り換えるＰＮスイッチ等の信号も、上記Ｗフレキ（ＰＣ５２１）に配線されており、グリップと反対側で他のＦＰＣに接続伝達されたり、リード線で接続されるようになっている。
【００５７】
さらに、Ｗフレキ（ＰＣ５２１）には、Ｂ本体３７の下部のリワインド（フィルム巻戻し）スイッチのパターンも形成されている。
【００５８】
上記Ｗフレキ（ＰＣ５２１）は、コストの低減と下部分のスペース節約のために、片面配線のＦＰＣで構成されている。また、Ｗフレキ（ＰＣ５２１）の表面処理は、スイッチ接点や他ＦＰＣとの圧接接続であることから、露出部分で部品実装しない面は金メッキ処理している。
【００５９】
そして更に、上記Ｂ本体３７には、Ｗフレキ（ＰＣ５２１）と、同軸の放射状パターン圧接接続部、即ちヒマワリによって電気的に接続されるＰＩフレキ（ＭＴＰＩハンダ付け）と、ＤＬフレキ（ＤＬＥＤ実装、ストロボポップアップ検知スイッチ（ＰＯＰスイッチ）、デート設定関係の各スイッチ、パノラマ撮影モードと通常モードを切り換えるＰＮスイッチ等のスイッチパターンやハンダ付けランドである）とが配置されている。
【００６０】
また、ストロボコンデンサの充電・発光を行うＴ基板（ＰＣ４０１）も上記Ｂ本体３７のグリップ側上部に設けられ、上記Ｆフレキ（ＰＣ２０１）と圧接接続されて、Ｆフレキ（ＰＣ２０１）を介してメイン基板（ＰＣ１０１）に接続される。そして、このメイン基板（ＰＣ１０１）は、上記Ｂ本体３７に形成されたＤＸ端子の前面（グリップ側前面）に配置される。
【００６１】
前述したように、ＦＰＣコネクタによって、Ｆフレキ（ＰＣ２０１）、Ｋフレキ（ＰＣ５０１）、Ｗフレキ（ＰＣ５２１）は相互に接続されている。
【００６２】
ここで、請求項に記載の第１乃至第３のフレキシブルプリント基板とは、Ｆフレキ（ＰＣ４０１）、Ｋフレキ（ＰＣ５０１）、Ｗフレキ（ＰＣ５２１）に相当し、第１乃至第３のコネクタは、コネクタ（Ｊ１０１），（Ｊ１０２），（Ｊ１０３）に相当するものである。
【００６３】
次に図３は上記メイン基板（ＰＣ１０１）の詳細な構成を示す図である。
【００６４】
即ち、図３（ａ）はメイン基板（ＰＣ１０１）の上方平面図であり、図３（ｂ）はメイン基板（ＰＣ１０１）の鏡枠方向側面図である。
【００６５】
これらの図に示されるように、メイン基板（ＰＣ１０１）の表面には、ＦＰＣコネクタ（Ｊ１０１），（Ｊ１０２），（Ｊ１０３）が実装されている。
【００６６】
上記ＦＰＣコネクタ（Ｊ１０１）はカメラ上面方向を向いて、ＦＰＣコネクタ（Ｊ１０２）は鏡枠方向を向いて、ＦＰＣコネクタ（Ｊ１０３）は下方向を向いて、それぞれが９０度づつ方向を変えて配置されている。
【００６７】
また、メイン基板（ＰＣ１０１）の表面には、電池の電源（＋）がリード線ＬＷ１を介して、電池の電源（ＧＮＤ）がリード線ＬＷ２を介して、それぞれメイン基板（ＰＣ１０１）の略中央に半田付けされている。
【００６８】
また、ストロボコンデンサのプラス端子もリード線ＬＷ３を介して、メイン基板（ＰＣ１０１）に接続されている。
【００６９】
メイン基板（ＰＣ１０１）の裏面には、カメラ全体の統括と演算制御を行うメインＣＰＵ（以下、ＭＣＰＵと称する）（Ｕ１０１）、及び小信号系の処理、基準電圧や電流の発生、アクチュエータのプリドライブ制御等のアナログ処理を中心に構成されたインターフェースＩＣ（以下、ＩＦＩＣと称する）（Ｕ１０２）の２つのＩＣがベアチップ実装されている。
【００７０】
ここでは、ベアチップ実装はアルミワイヤーによるＣＯＢ実装で、ワイヤー接続後に絶縁樹脂で封止される。
【００７１】
以上のほか、メイン基板（ＰＣ１０１）の表・裏面に、ＩＣ系電源の昇圧用コイル（Ｌ１０１）、その平滑コンデンサ（Ｃ１０１）、ＭＣＰＵ（Ｕ１０１）のメインクロックを発生するセラミック発振子（Ｙ１０１）、パワートランジスタ、その他チップ抵抗やチップコンデンサ等の各種部品が実装されている。
【００７２】
ここで、上記ＦＰＣコネクタについて、詳しく説明する。
【００７３】
３つのＦＰＣコネクタ（Ｊ１０１），（Ｊ１０２），（Ｊ１０３）は、共に端子が半田メッキされたものであり、所謂「ＺＩＦタイプ」と呼ばれるＦＰＣの固定用ストッパが配設されたものである。
【００７４】
この固定用ストッパは、ＦＰＣの差込方向と略平行に引き出してロックを解除し、ＦＰＣの差込方向と略平行に押し込んでロックする。
【００７５】
上記ＦＰＣコネクタ（Ｊ１０１）は、補強板なしの両面ＦＰＣに対応したものである。例えば、標準挿入厚さが０．１８ｍｍ程度であり、通常の両面配線ＦＰＣの、片側のみカバーレイがないものに相当する。図示のように、Ｆフレキ（ＰＣ２０１）は両面配線タイプであり、差込部のみ片側カバーレイが開口されていて、上接点のコネクタ（Ｊ１０１）に挿入される。
【００７６】
上記ＦＰＣコネクタ（Ｊ１０２），（Ｊ１０３）は、補強板ありの片面ＦＰＣに対応したものである。例えば、標準挿入厚さが０．３ｍｍ程度であり、通常の片面配線タイプのＦＰＣにポリエステル等の補強板を貼って挿入厚を確保する。
コネクタ挿入部には、カバーレイが開口されている。
【００７７】
図４は、実施の形態に係るプリント基板を有するカメラのプリント基板間の信号のやり取りを概念的に示した図である。
【００７８】
同図に示されるように、Ｔ基板（ＰＣ４０１）には、メイントランス、トリガトランス、ＩＧＢＴ、レリーズＳＷ等が実装される。
【００７９】
Ｆフレキ（ＰＣ２０１）には、両面、金メッキが施され、表示ＣＰＵ（Ｕ２０１）、ズームアップボタン１２、ズームダウンボタン１３、撮影モード切り替えボタン１４、セルフＬＥＤ１９等が実装される。
【００８０】
ＬＣＤフレキには、外部表示液晶部１６等が実装される。ＦＬフレキ（ＰＣ６０１）には、ＦＬＣＤ等が実装される。Ａフレキ（ＰＣ３０１）には、ＡＦモジュール等が実装される。Ｍ基板（ＰＣ１０１）には、ＣＰＵ、ＩＦＩＣ、ＥＥＰ、モータドライバ、汎用コネクタ等が実装される。
【００８１】
Ｋフレキ（ＰＣ５０１）には、ＬＤモータ、ＳＴプランジャ、ＡＥＰＩ、ＬＤＰＩ、テレ・ワイドスイッチ等が実装される。Ｗフレキ（ＰＣ５２１）には、ＷＺモータ、チェック端子、ＭＴＰＩ、ＣＬＰＲ、リワインドＳＷ等が実装される。ＰＩフレキには、ＭＴＰＩ等が実装される。ＤＬフレキには、デートＳＷ、ＰＮＳＷ、写し込みドットＬＥＤ等が実装される。
【００８２】
ここで、上記Ｔ基板（ＰＣ４０１）には、２本のリード線を介して電池３８が接続され、３本のリード線を介してキセノン管が接続され、２本のリード線を介してＢＫＳＷが接続され、３本のリード線を介してＭ基板（ＰＣ１０１）が接続され、９本の同軸圧接接続（以下、ヒマワリと称する）を介してＦフレキ（ＰＣ２０１）が接続される。
【００８３】
さらに、上記Ｆフレキ（ＰＣ２０１）は、コネクタ（Ｊ１０１）を介してＭ基板（ＰＣ１０１）に接続され、ヒマワリを介してＡフレキ（ＰＣ３０１）に接続され、３本の半田付けによりＦＬフレキに接続され、更にＬＣＤフレキが熱圧着されている。
【００８４】
上記Ｍ基板（ＰＣ１０１）には、コネクタ（Ｊ１０２）を介してＫフレキ（ＰＣ５０１）が接続され、コネクタ（Ｊ１０３）を介してＷフレキ（ＰＣ５２１）が接続され、このほか、５本のリード線を介してＤＸ端子４０が接続され、２本の半田付けによりＷＺプランジャ４２が接続され、２本のリード線を介してリモコンセンサ３３が接続されている。
【００８５】
さらに、Ｗフレキ（ＰＣ５２１）には、８本のヒマワリを介してＰＩフレキが接続され、１２本のヒマワリを介してＤＬフレキが接続されている。また、ＰＩフレキは、２本のリード線を介してＰＯＰＳＷが接続され、２本のリード線を介してＷＺモータ４１が接続されている。上記Ｋフレキは、３本のリード線を介してＺＳＷＴ，ＺＳＷＷが接続されている。
【００８６】
この図４に示されるように、ＦＰＣコネクタとヒマワリを解除すれば、半田接続の分離無しに、鏡枠ユニットやファインダユニット等を解除することが可能であることが判る。
【００８７】
以上説明したように、本発明の実施の形態によれば、メイン基板上の、ピン数が多く幅が広いＦＰＣコネクタを、それぞれ方向を９０度づつ回転させて基板端面に寄せて実装したため、コネクタ相互の間が広く取れて実装が容易であり実装の歩留まりが良い。また、ＦＰＣコネクタへの信号線の引き回しも効率よくレイアウトすることが可能で、基板面積を最小限にすることができ、カメラの小型化や基板のコストダウンにも好適である。
【００８８】
さらに、上記ＦＰＣコネクタを、それぞれ方向を９０度づつ回転させて配置しているため、挿入するＦＰＣ同士の近接や干渉がなく、接続作業が容易であり、組立工数やリペア工数を削減することができる。
【００８９】
また、ＦＰＣコネクタを上方、鏡枠方向、下方にそれぞれ向けて配置しているため、表示操作系が多い上方からの基板と、鏡枠関連の信号を接続する基板と、フィルム、切り替え等の駆動系を接続する下方の基板との信号を、効率よく接続し、無理がない形で固定することができる。
【００９０】
そして、大電流を必要とするシャッタ駆動用のＳプランジャのラインを含むＫフレキ（ＰＣ５０１）と、対応するコネクタ（Ｊ１０２）は、ＦＰＣもコネクタの端子もハンダで表面処理されており、同種金属であるため経年変化がほとんどなく、接触抵抗が安定しているため、シャッタの動作不良などの不具合を起こすおそれがない。ＦＰＣが半田で表面処理できるのは、鏡枠はスイッチ受けのパタン等があまり設けられないユニットであるという特性のためである。
【００９１】
また、大電流系がないカメラ上面部へのＦＰＣは金メッキで表面処理がなされ、一方、コネクタ（Ｊ１０１）の端子は半田で表面処理が行われるので、異種金属の接合になるが、金と半田の異種金属による腐食は抵抗値の増加が然程でもなく、むしろ上面のスイッチパタンの、接触の信頼性が高く、コネクタは多く出回っている半田メッキの汎用品が利用できるため安価である。
【００９２】
さらに、表示系を含む上面方向に伸びるＦＰＣは配線が多く、両面配線になる上、チップ部品などをリフローによって実装するが、コネクタ差込部の補強板がなくても接続可能になっているため、リフローに耐えうるポリイミド等の高価な耐熱補強板を必要とせず、両面ＦＰＣで硬さも程々であるため、安価で確実な接続が可能である。
【００９３】
また、可動部を含む鏡枠ユニットの信号配線のＦＰＣは片面タイプで柔らかく、また鏡枠ユニットの部品が手ハンダ可能でコネクタ差込部分の耐熱性が不要であるため、安価な耐熱性の低いものでよい。
【００９４】
そして、微小信号である測光の光電流ラインは、上方に向いた唯一のコネクタの接触端子のうち、最もレンズ鏡枠方向の接触端子に割り当てられている為、隣接端子への電流のリークの影響が少なく、またノイズも乗り難い部分になる。また、ファインダ本体の測光センサへの引き回しも短く、クロスする他のライン等も少なくて済み、これも上記信号への悪影響を最小限に抑える要因になる。
【００９５】
さらに、メイン基板（ＰＣ１０１）から、上方に延出するＦＰＣ、側方に延出するＦＰＣ、下方に延出するＦＰＣはそれぞれ上接点で引き出されており、接続点から曲げが近い本実施の形態のようなＦＰＣの接続の場合、接続時の傾きやずれが目視で分かりやすく、好ましい。
【００９６】
また、各コネクタの信号の分割が、ＦＰＣコネクタ（Ｊ１０１）はカメラ上方の表示・信号系のラインでまとめられ、ＦＰＣコネクタ（Ｊ１０２）は鏡枠の駆動制御の信号でまとめられ、ＦＰＣコネクタ（Ｊ１０３）は下面部品や、鏡枠に対してレンズ鏡枠と反対側のラインを含んでいるため、それぞれの関連ずるファインダ、鏡枠、ボディ本体の分割や確認のために１つのコネクタの着脱によってほぼ可能であるため、操作が容易で好ましい。
【００９７】
以上、本発明の実施の形態について説明したが、本発明はこれに限定されることなく、その趣旨を逸脱しない範囲で種々の改良・変更が可能である。
【００９８】
例えば、コネクタのロックはスライドタイプに限定されるものでなく、例えばストッパを跳ね上げ解除乃至は倒してロックするタイプの回転固定式のフリップロックタイプのものを採用することもできる。また、実装チップ部品の配置も上記実施の形態で採用したものに限定されるものではない。
【００９９】
さらに、メイン基板（ＰＣ１０１）は、鏡枠の左右いずれにあってもよい。また、メイン基板は、その基板材が硬質板以外のフレキシブル基板材で構成されていても良い。また、カメラ内での基板の配置、形状は異なるものであっても良いし、各ユニットの形状、配置、分割も本実施形態に限定されない。
【０１００】
また、上面に配置される外部表示用液晶は、Ｆフレキ上の表示ＣＰＵによって表示されているが、これはメイン基板（ＰＣ１０１）上のＣＰＵによって直接駆動されても良い。尚、メイン基板（ＰＣ１０１）は、硬質基板でもよい。
【０１０１】
尚、本発明の上記実施の形態には、以下の発明が含まれる。
【０１０２】
（１）  カメラ全体の制御を行うメイン演算制御手段を実装したメインプリント基板と、上記メインプリント基板にコネクタを介して接続される第１乃至第３のサブプリント基板と、を備えたカメラにおいて、
上記メインプリント基板は、レンズ鏡枠の左右何れかに当該レンズ鏡枠の光軸に対して垂直に配置され、上記第１乃至第３のサブプリント基板は、それぞれが略９０度ずつ異なる方向にコネクタを介して接続され延出されていることを特徴とするプリント基板を備えたカメラ。
【０１０３】
（２）  上記第１のサブプリント基板は、表示・操作系を含むカメラ上面の電気部品や操作部材に関する信号のラインを含み、
上記第２のサブプリント基板は、レンズ鏡枠関連のアクチュエータ駆動や位置・変位に関する信号のラインを含み、
上記第３のサブプリント基板は、フィルム駆動、駆動系の切り替え関連のアクチュエータ駆動や位置・変位に関する信号のラインを含む、
ことを特徴とする上記（１）に記載のプリント基板を備えたカメラ。
【０１０４】
（３）  上記第１のサブプリント基板を接続するコネクタは、当該第１のサブプリント基板が上方に延出される方向に配置され、
上記第２のサブプリント基板を接続するコネクタは、当該第２のサブプリント基板が鏡枠の方向に延出される方向に配置され、
上記第３のサブプリント基板を接続するコネクタは、当該第３のサブプリント基板が下方に延出される方向に配置される、
ことを特徴とする上記（１）に記載のプリント基板を備えたカメラ。
【０１０５】
（４）  カメラ全体の制御を行うメイン演算制御手段を実装したメインプリント基板と、
上記メインプリント基板に実装され、上方からのフレキシブルプリント基板をコネクトするための第１コネクタと、
上記メインプリント基板に実装され、側方からのフレキシブルプリント基板をコネクトするための第２コネクタと、
上記メインプリント基板に実装され、下方からのフレキシブルプリント基板をコネクトするための第３コネクタと、
を備え、
上記第１コネクタに差し込むフレキシブルプリント基板は、補強板の貼り付けがなく、上記第１及び第２コネクタに差し込むフレキシブルプリント基板は、補強板の貼り付けを伴っていることを特徴とするプリント基板を備えたカメラ。
【０１０６】
（５）  上記第１コネクタに挿し込まれるフレキシブルプリント基板は両面フレキシブルプリント基板であり、上記第２及び第３コネクタに挿し込まれるフレキシブルプリント基板は片面フレキシブルプリント基板であることを特徴とする上記（４）に記載のプリント基板を備えたカメラ。
【０１０７】
（６）  上記第１のサブプリント基板は、表示・操作系を含む、カメラ上面の電気部品に、関する信号のラインを含み、
上記第２のサブプリント基板は、レンズ鏡枠関連のアクチュエータ駆動や位置・変位に関する信号のラインを含む、
ことを特徴とする上記（４）に記載のプリント基板を備えたカメラ。
【０１０８】
（７）  カメラ全体の制御を行うメイン演算制御手段を実装したメインプリント基板と、
上記メインプリント基板に実装された第１コネクタで接続される第１のサブプリント基板と、
上記メインプリント基板に実装された第２コネクタで接続される第２のサブプリント基板と、
を備えたカメラにおいて、
上記第１コネクタで接続される第１のサブプリント基板の接続は異種金属接合であり、上記第２コネクタで接続される第２のサブプリント基板の接続は同種金属接合である、ことを特徴とするプリント基板を備えたカメラ。
【０１０９】
（８）  上記第１のサブプリント基板は、スイッチのパターンを含む小信号系ラインを中心とした配線で構成されており、
上記第２のサブプリント基板は、アクチュエータを含む大電流系の配線を含んで構成されている、
ことを特徴とする上記（７）に記載のプリント基板を備えたカメラ。
【０１１０】
（９）  上記第２のサブプリント基板は、シャッタ駆動用のアクチュエータを含むことを特徴とする上記（７）に記載のプリント基板を備えたカメラ。
【０１１１】
（１０）  カメラ全体の制御を行うメイン演算制御手段が実装され、レンズ鏡枠の左右何れかに、光軸に対して略垂直に配置されたメインプリント基板と、
上記メインプリント基板に実装されたフレキシブルプリント基板コネクタと、
カメラの上面または下面に配置され、これを経由して所定の信号を引き出し、上記フレキシブルプリント基板コネクタで上記メイン基板に接続されるフレキシブルプリント基板と、
を備えており、
上記カメラの上面または下面に配置されたフレキシブルプリント基板コネクタは、単一のコネクタで構成されていることを特徴とするプリント基板を備えたカメラ。
【０１１２】
（１１）  上記フレキシブルプリント基板コネクタは、カメラの上面に配置されたフレキシブルプリント基板に接続するコネクタであり、
当該コネクタは、上面に配置された表示のための制御信号、レリース信号、測距信号を含んでいる、
ことを特徴とする上記（１０）に記載のプリント基板を備えたカメラ。
【０１１３】
（１２）  上記フレキシブルプリント基板コネクタは、カメラの下面に配置されたフレキシブルプリント基板に接続するコネクタであり、
当該コネクタは、下面を経由して下面およびメイン基板と反対側に配置された駆動切り替え機構、フィルム駆動機構への駆動制御信号を含んでいる、
ことを特徴とする上記（１０）に記載のプリント基板を備えたカメラ。
【０１１４】
（１３）  カメラの微小光電流を処理する処理回路部品が実装され、レンズ鏡枠の左右何れかに当該レンズ鏡枠の光軸に対して略垂直に配置されたメインプリント基板と、上記メインプリント基板上に実装されたフレキシブルプリント基板コネクタと、上記コネクタに挿入接続される微小光電流ラインを含んだフレキシブルプリント基板と、を備えたカメラにおいて、
上記コネクタは上方にフレキシブルプリント基板挿入口が向く方向に配置され、上記微小光電流ラインは、上記コネクタの接触端子のうち、最もレンズ鏡枠方向の接触端子に割り当てられている、
ことを特徴とするプリント基板を備えたカメラ。
【０１１５】
【発明の効果】
本発明によれば、第１コネクタ、第２コネクタ及び第３のコネクタがそれぞれ略直交する方向に同一の表面に実装され、レンズ鏡筒枠の側方であってカメラのグリップ側にレンズ鏡枠の光軸に対して垂直に配置され、第１コネクタ、第２コネクタ及び第３のコネクタが実装された表面の裏面にカメラ全体の制御を行うメイン演算制御手段を実装したメインプリント基板を備えたので、プリント基板の構成を効率よく配置、接続することによって、小型でコストが安いズーム可能なレンズ鏡枠を備えたカメラを提供することができる。
【図面の簡単な説明】
【図１】本発明の実施の形態に係るプリント基板を備えたカメラの外観構成図である。
【図２】本発明の実施の形態に係るプリント基板を備えたカメラの機能ブロック並びに各種プリント基板の構成を示す図である。
【図３】メイン基板（ＰＣ１０１）の詳細な構成を示す図である。
【図４】実施の形態に係るプリント基板を有するカメラのプリント基板間の信号のやり取りを概念的に示した図である。
【符号の説明】
１  外装部材
２  レンズ鏡筒
３  レンズバリア
１１  レリーズボタン
１２  ズームアップボタン
１３  ズームダウンボタン
１４  操作モード切り替えボタン
１５  ストロボモード切り替えボタン
１６  外部表示液晶部
１７  ストロボ部
１８  測光センサ
１９  測光センサ
２０  ファインダ窓
２１  測距センサ
２２  セルフタイマのリモコン受信部
２３  ファインダのアイピース
２４  ストロボＬＥＤ
２５  ＡＦＬＥＤ
２６  強制リワインドＳＷ
２７  三脚用穴
【図１】
0004740443.tif 000002
【図２】
0004740443.tif 000003
【図３】
0004740443.tif 000004
【図４】
0004740443.tif 000005